(57)【要約】【課題】製品寿命を長くすることができる照明装置を提供することである。【解決手段】実施形態に係る照明装置は、第１の基板と、第２の基板と、前記第１の基板と前記第２の基板との間に設けられた有機電界発光素子と、前記第１の基板および前記第２の基板の周縁部分を封止する第１の封止部と、を有する発光部と、前記有機電界発光素子に電力を供給する接続部と、内部に気密が維持された空間を有し、前記発光部を前記空間内に収納する収納部と、前記収納部に設けられ、前記接続部の前記収納部から外側に出る部分を封止する第２の封止部と、を備えている。【選択図】図１
2014103007.tif 000002
【特許請求の範囲】
【請求項１】
発光部であって、
第１の基板と、
第２の基板と、
前記第１の基板と前記第２の基板との間に設けられた有機電界発光素子と、
前記第１の基板および前記第２の基板の周縁部分を封止する第１の封止部と、
を有する発光部と、
前記有機電界発光素子に電気的に接続された接続部と、
内部に気密が維持された空間を有し、前記発光部を前記空間内に収納する収納部と、
前記収納部に設けられ、前記接続部の前記収納部から外側に出る部分を封止する第２の封止部と、
を備えた照明装置。
【請求項２】
前記接続部は、前記発光部を前記空間内に保持する請求項１記載の照明装置。
【請求項３】
前記収納部の内壁に設けられ、前記発光部を支持する支持部をさらに備えた請求項１または２に記載の照明装置。
【請求項４】
前記支持部は、前記第１の基板および前記第２の基板の少なくともいずれかの側を支持する請求項３記載の照明装置。
【請求項５】
前記支持部は、前記収納部の内壁側から前記発光部の側に向かうにつれて断面積が漸増する形態を有する請求項３または４に記載の照明装置。
【請求項６】
前記支持部の屈折率は、１より大きく、２．４以下である請求項３〜５のいずれか１つに記載の照明装置。
【請求項７】
前記支持部の屈折率は、１．２以上、２．０以下である請求項３〜５のいずれか１つに記載の照明装置。
【請求項８】
前記空間は、大気圧よりも減圧された状態、または、不活性ガスが封入された状態である請求項１〜７のいずれか１つに記載の照明装置。
【請求項９】
前記有機電界発光素子は、
第１の電極と、
前記第１の電極に対峙する第２の電極と、
前記第１の電極と、前記第２の電極と、の間に設けられた有機発光層と、
を有し、
前記第１の電極と、前記第２の電極と、の少なくともいずれか一方は、前記有機発光層から放射された光に対して透光性を有する請求項１〜８のいずれか１つに記載の照明装置。
【発明の詳細な説明】
【技術分野】
【０００１】
後述する実施形態は、概ね、照明装置に関する。
【背景技術】
【０００２】
一対のガラス基板の間に、有機発光層を有する有機電界発光素子を設けた照明装置がある。この様な照明装置においては、一対のガラス基板の周縁部分を樹脂からなる封止部で封止している。  
ところが、樹脂からなる封止部では、水分や酸素などが透過することを防止することができず、照明装置の製品寿命が短くなるおそれがある。  
そのため、封止部を透過した水分を除去するための乾燥剤を設けた照明装置が提案されている。  
しかしながら、封止部を透過した水分や酸素などを完全に除去することが難しく、製品寿命をさらに長くすることができる照明装置の開発が望まれていた。
【先行技術文献】
【特許文献】
【０００３】
【特許文献１】特開２００３−８６３６１号公報
【発明の概要】
【発明が解決しようとする課題】
【０００４】
本発明が解決しようとする課題は、製品寿命を長くすることができる照明装置を提供することである。
【課題を解決するための手段】
【０００５】
実施形態に係る照明装置は、第１の基板と、第２の基板と、前記第１の基板と前記第２の基板との間に設けられた有機電界発光素子と、前記第１の基板および前記第２の基板の周縁部分を封止する第１の封止部と、を有する発光部と、前記有機電界発光素子に電力を供給する接続部と、内部に気密が維持された空間を有し、前記発光部を前記空間内に収納する収納部と、前記収納部に設けられ、前記接続部の前記収納部から外側に出る部分を封止する第２の封止部と、を備えている。
【図面の簡単な説明】
【０００６】
【図１】第１の実施形態に係る照明装置を例示するための模式断面図。
【図２】第２の実施形態に係る照明装置を例示するための模式断面図。
【図３】第２の実施形態に係る照明装置を例示するための模式断面図。
【図４】支持部１９ｂの形態と光取り出し効率との関係を説明する図。
【図５】支持部１９ｂの屈折率ｎと光取り出し効率との関係を表すグラフ図。
【図６】第３の実施形態に係る照明装置を例示するための模式断面図。
【図７】第３の実施形態に係る照明装置を例示するための模式断面図。
【図８】第４の実施形態に係る照明装置を例示するための模式断面図。
【発明を実施するための形態】
【０００７】
以下、図面を参照しつつ、実施の形態について例示をする。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して述べたものと同様の要素には同一の符号を付して詳細な説明は適宜省略する。
【０００８】
[第１の実施形態]  
図１は、第１の実施形態に係る照明装置１を例示するための模式断面図である。
なお、図１（ａ）は、図１（ｂ）におけるＡ−Ａ’線断面図である。図１（ｂ）は、図１（ａ）におけるＢ−Ｂ’線断面図である。  
図１（ａ）、（ｂ）に示すように、照明装置１には、発光部１０、接続部７、接続部８、および収納部９が設けられている。  
また、発光部１０には、有機電界発光素子２、基板３（第１の基板の一例に相当する）、基板４（第２の基板の一例に相当する）、封止部５（第１の封止部の一例に相当する）、および封止部６が設けられている。
【０００９】
有機電界発光素子２は、電極２ａ（第１の電極の一例に相当する）、有機発光層２ｂ、電極２ｃ（第２の電極の一例に相当する）を有する。  
有機電界発光素子２は、基板３の上に設けられている。  
電極２ａは、基板３の基板４と対峙する側の面に設けられている。電極２ａは、平面形状が矩形状を呈している。ただし、電極２ａの形状は例示をしたものに限定されるわけではなく、照明装置１の大きさや用途などに応じて適宜変更することができる。電極２ａは、例えば、陽極として機能する。
【００１０】
電極２ａは、有機発光層２ｂから放射された光に対して透過性を有する。電極２ａの材料には、例えば、Ｉｎ、Ｓｎ、Ｚｎ及びＴｉからなる群より選ばれた少なくとも１種の元素を含む酸化物を用いることができる。電極２ａの材料には、例えば、酸化インジウム、酸化亜鉛、酸化錫、インジウム錫酸化物（ＩＴＯ：Indium Tin Oxide）、フッ素ドープ酸化錫（ＦＴＯ）、インジウム亜鉛酸化物を含む導電性ガラス（例えばＮＥＳＡなど）、導電性有機膜(Pedot等)、Ａｇナノワイヤ、グラフェンを用いた透明導電膜などを用いることができる。
【００１１】
有機発光層２ｂは、電極２ａと電極２ｃとの間に設けられている。  
有機発光層２ｂの厚み寸法は、例えば、５ナノメートル（ｎｍ）以上とすることができる。  
有機発光層２ｂは、例えば、可視光の波長の成分を含む光を放射する。有機発光層２ｂは、例えば、白色の光を放射するものとすることができる。なお、「白色の光」は、実質的に白色の光であればよく、例えば、赤色系、黄色系、緑色系、青色系及び紫色系などの白色の光であってもよい。
【００１２】
有機発光層２ｂには、ホスト材料と、所定の色の光を発光させるドーパント（発光ドーパント）と、の混合材料を用いることができる。  
有機発光層２ｂが白色の光を放射するものである場合には、緑色、青色、および赤色の光をそれぞれ発光させるドーパント（緑色発光ドーパント、青色発光ドーパント、赤色発光ドーパント）を含むものとすることができる。緑色、青色、および赤色の光を放射させることができれば、緑色、青色、および赤色の光から白色の光を合成することができる。
なお、有機発光層２ｂは、単層からなるものでもよく、多層からなるものでもよい。
例えば、有機発光層２ｂは、緑色発光ドーパント、青色発光ドーパント、および赤色発光ドーパントを含む層とすることができる。また、例えば、有機発光層２ｂは、緑色発光ドーパントを含む層と、青色発光ドーパントを含む層と、赤色発光ドーパントを含む層とが積層されたものとすることができる。
【００１３】
有機発光層２ｂに用いるホスト材料としては、例えば、ＣＢＰ（4,4'−N,N'-ビスジカルバゾリルール−ビフェニル）、ＢＣＰ（2,9−ジメチル-4,7 ジフェニル−1,10−フェナントロリン）、ＴＰＤ（テトラフェニルジアミノビフェニル）、ＰＶＫ（ポリビニルカルバゾール）及びＰＰＴ（ポリ（３−フェニルチオフェン））などを例示することができる。
有機発光層２ｂに用いる緑色発光ドーパントとしては、例えば、Ｉｒ（ｐｐｙ）３（トリス (２−フェニルピリジン)イリジウム）などを例示することができる。
有機発光層２ｂに用いる青色発光ドーパントとしては、例えば、Ｆｌｒｐｉｃ（イリジウム(III)ビス(4,6-ジ-フルオロフェニル)-ピ. リジネート-N,C2'-ピコリネート）などを例示することができる。
有機発光層２ｂに用いる赤色発光ドーパントとしては、例えば、Ｆｌｒ６（ビス（２，４−ジフルオロフェニルピリジナト）−テトラキス（１−ピラゾリル）ボラート−イリジウム（III））などを例示することができる。
【００１４】
なお、白色の光の合成は、緑色、青色、および赤色の光の組み合わせに限定されない。例えば、緑色の光と赤色の光の組み合わせであってもよい。この場合、要求される緑色の光と白色の光の色度によっては、緑色の光を緑の光と青の光の混合色の光とすることもできる。  
また、有機発光層２ｂから放射される光の色は、白色に限定されるわけではなく、照明装置１の用途などに応じて適宜変更することができる。有機発光層２ｂから放射される光の色は、発光ドーパントの種類、複数種類の発光ドーパントの組合せ、複数種類の発光ドーパントの添加比率などにより変化させることができる。
【００１５】
電極２ｃは、電極２ａに対峙させて設けられている。電極２ｃは、有機発光層２ｂを覆うようにして設けられている。  
電極２ｃは、有機発光層２ｂから放射された光に対して反射性を有する。電極２ｃの光反射率は、電極２ａの光反射率よりも高い。本願明細書においては、電極２ａの光反射率よりも高い光反射率を有している状態を反射性を有するという。
【００１６】
電極２ｃは、例えば、陰極として機能する。電極２ｃの厚み寸法は、例えば、５ナノメートル（ｎｍ）以上とすることができる。５ナノメートル（ｎｍ）以上であれば、有機発光層２ｂから放射される光の一部を反射し、かつ、電流を有機発光層２ｂに有効に供給することができる。  
電極２ｃは、例えば、アルミニウム及び銀の少なくともいずれかを含む。例えば、電極２ｃには、アルミニウムを用いることができる。
【００１７】
また、有機電界発光素子２は、必要に応じて、図示しない第１機能層と、第２機能層とをさらに有することができる。  
図示しない第１機能層は、有機発光層２ｂと電極２ａとの間に設けられる。  
第１機能層の厚み寸法は、例えば、１ナノメートル（ｎｍ）以上、５００ナノメートル（ｎｍ）以下とすることができる。
【００１８】
第１機能層は、例えば、正孔注入層として機能する。第１機能層が正孔注入層として機能する場合には、例えば、ＰＥＤＰＯＴ：ＰＰＳポリ(3,4- エチレンジオキシチオフェン)-ポリ(スチレンスルホン酸)、ＣｕＰｃ(銅フタロシアニン)及びＭｏＯ３（三酸化モリブデン）などを含む。
【００１９】
第１機能層は、例えば、正孔輸送層として機能する。第１機能層が正孔輸送層として機能する場合には、例えば、α−ＮＰＤ（4，4'−ビス［N−（1−ナフチル）−N−フェニルアミノ］ビフェニル）、ＴＡＰＣ（1,1-ビス[4-[N,N-ジ(p-トリル)アミノ]フェニル]シクロヘキサン）、ｍ−ＭＴＤＡＴＡ（4,4',4''-トリス[フェニル(m-トリル)アミノ]トリフェニルアミン）、ＴＰＤ（ビス(3-メチルフェニル)-N,N'-ジフェニルベンジジン）及びＴＣＴＡ（4，4'，4”−トリ（N− カルバゾリル）トリフェニルアミン）などを含む。
なお、第１機能層は、正孔注入層として機能する層と、正孔輸送層として機能する層と、が積層されたものであってもよい。この場合、正孔注入層として機能する層は、正孔の注入特性を向上させるためのものである。また、正孔注入層として機能する層は、正孔輸送層として機能する層と電極２ａとの間に設けられる。
【００２０】
図示しない第２機能層は、有機発光層２ｂと電極２ｃとの間に設けられる。第２機能層の厚み寸法は、例えば、１ナノメートル（ｎｍ）以上、５００ナノメートル（ｎｍ）以下とすることができる。  
第２機能層は、例えば、電子輸送層として機能する。第２機能層が電子輸送層として機能する場合には、例えば、Ａｌｑ３（トリス（8キノリ. ノラト）アルミニウム（III））、ＢＡｌｑ(ビス(2-メチル-8-キノリラト-N1,O8)-(1,1’-ビフェニル-4-オラト)アルニウム)、Ｂｐｈｅｎ（バソフェナントロリン）及び３ＴＰＹＭＢ（トリス[３−(３−ピリジル)−メシチル]ボラン）などを含む。
【００２１】
第２機能層は、例えば、電子注入層として機能する。第２機能層が、電子注入層として機能する場合には、第２機能層は、例えば、フッ化リチウム、フッ化セシウム、リチウムキノリン錯体などを含む。  
なお、第２機能層は、電子輸送層として機能する層と、電子注入層として機能する層と、が積層されたものであってもよい。この場合、電子注入層として機能する層は、電子の注入特性を向上させるためのものである。また、電子注入層として機能する層は、電子輸送層として機能する層と電極２ｃとの間に設けられる。
【００２２】
基板３、および基板４は、板状を呈し、一対設けられている。基板４は、基板３の有機電界発光素子２が設けられた側に設けられている。基板４は、基板３と対峙して設けられている。基板３の有機電界発光素子２が設けられる側とは反対側の面は、光Ｌが放射される側の面となる。  
基板３は、有機発光層２ｂから放射される光Ｌに対して透過性を有する。
【００２３】
基板３の材料には、例えば、石英ガラス、アルカリガラス及び無アルカリガラスなどのガラスを用いることができる。基板３の材料には、例えば、ポリエチレンテレフタレート、ポリカーボネイト、ポリメチルメタクリエート、ポリプロピレン、ポリエチレン、非晶質ポリオレフィン及びフッ素系樹脂などの透明樹脂を用いることもできる。  
基板４の材料には特に限定はないが、例えば、基板３の材料と同様とすることができる。
【００２４】
封止部５は、基板３および基板４の周縁部分に設けられ、基板３および基板４の周縁部分を封止する。  
封止部５の材料は、例えば、樹脂やガラスフリットなどとすることができる。
封止部５に用いる樹脂としては、例えば、紫外線硬化樹脂や熱硬化樹脂などを例示することができる。封止部５に用いるガラスフリットとしては、例えば、酸化マグネシウム（ＭｇＯ）や酸化カルシウム（ＣａＯ）などを含むものを例示することができる。
【００２５】
封止部６は、基板３、基板４、および封止部５により画された領域に設けられている。また、封止部６は、有機電界発光素子２を覆うように設けられている。  
封止部６の材料は絶縁性材料であれば特に限定はないが、例えば、紫外線硬化樹脂や熱硬化樹脂などの樹脂や、酸化シリコンなどの無機材料などを用いることができる。  
この場合、封止部５の材料と、封止部６の材料を同じものとすれば、封止部５と封止部６とを一体的に形成することができる。
【００２６】
接続部７の一方の端部は、電極２ａと電気的に接続されている。接続部７の他方の端部は、収納部９の外側に設けられている。  
接続部８の一方の端部は、電極２ｃと電気的に接続されている。接続部８の他方の端部は、収納部９の外側に設けられている。  
そのため、照明装置１の外部に設けられた電源などと、電極２ａおよび電極２ｃとを接続部７および接続部８を介して電気的にそれぞれ接続することができる。
【００２７】
接続部７および接続部８の収納部９から外側に出る部分は、収納部９の封止部９ａ（第２の封止部の一例に相当する）によりそれぞれ封止されている。  
また、接続部７および接続部８により、発光部１０が収納部９の内部の空間に保持されている。  
接続部７および接続部８の材料は導電性材料であれば特に限定はないが、封止部９ａの熱膨張係数に近い熱膨張係数を有する材料とすることが好ましい。  
例えば、後述するように、封止部９ａの材料がガラスである場合には、接続部７および接続部８の材料はモリブデンなどとすることができる。
【００２８】
収納部９は、長手方向の両端が閉鎖された筒状を呈している。
収納部９は、内部に気密が維持された空間を有し、発光部１０をこの空間内に収納する。
なお、図１に例示をしたものは、収納部９の断面外形が長方形であるがこれに限定されるわけではない。例えば、断面外形は扁平な形状とすることができる。
収納部９の長手方向の端部には、接続部７および接続部８の収納部９から外側に出る部分を封止する２つの封止部９ａが設けられている。この場合、２つの封止部９ａは、収納部９の長手方向の端部と一体的に形成されたものとすることができる。
少なくとも収納部９の光Ｌが放射される側の面９ｂは、光Ｌに対する透過性を有している。
【００２９】
収納部９の材料には特に限定はないが、水分や酸素などの透過を抑制できること、光Ｌに対する透過性を有していることなどを考慮すると、ガラスなどとすることが好ましい。この場合、ガラスとしては、例えば、石英ガラス、アルカリガラス及び無アルカリガラスなどを例示することができる。
【００３０】
収納部９の材料がガラスである場合には、例えば、ピンチシール法を用いて、２つの封止部９ａを形成するとともに、２つの封止部９ａにより接続部７および接続部８を封止することができる。例えば、加熱された封止部９ａとなる部分をピンチャーを用いて押しつぶすことで、接続部７および接続部８がそれぞれ埋め込まれた２つの封止部９ａを形成することができる。
【００３１】
また、シュリンクシール法（減圧封止法）を用いて、２つの封止部９ａを形成するとともに、２つの封止部９ａにより接続部７および接続部８を封止することができる。例えば、加熱された封止部９ａとなる部分の内部を減圧し、負圧によって封止部９ａとなる部分を押しつぶすことで、接続部７および接続部８がそれぞれ埋め込まれた２つの封止部９ａを形成することができる。
【００３２】
また、封止部９ａによる封止を行う際に、収納部９の内部の発光部１０が保持される空間を排気して、収納部９の内部の空間を大気圧よりも減圧された状態とすることができる。また、収納部９の内部の発光部１０が保持される空間にアルゴンガスや窒素ガスなどの不活性ガスを封入することもできる。
【００３３】
ここで、有機電界発光素子２は、視認性および耐衝撃性に優れるととともに、発光色が多様であるなどの利点を有するため、各種の照明装置に用いられている。  
しかしながら、有機電界発光素子２は、一定期間駆動すると、発光輝度、発光の均一性などの発光特性が初期状態に比べて著しく劣化するという欠点を有している。このような発光特性の劣化を招く原因の一つとしては、有機電界発光素子２を構成する要素の表面に吸着している水分や酸素、有機電界発光素子２内に侵入した水分や酸素がある。
【００３４】
酸素は、陰極である電極２ｃのピンホールや、有機電界発光素子２の構造上の不良などから有機電界発光素子２の内部に侵入し、有機発光層２ｂと反応して有機発光層２ｂを酸化させる。有機発光層２ｂが酸化すると、材料特性の低下を招くことになる。
【００３５】
水分は、電極２ｃの欠陥などから有機電界発光素子２の内部に侵入し、有機発光層２ｂと電極２ｃとが剥離する原因となる。有機発光層２ｂと電極２ｃとが剥離した部分においては通電が行われなくなるので、発光しない部分である黒点（ダークスポット）が発生することになる。
【００３６】
本実施の形態においては、収納部９の内部の空間に発光部１０を保持するとともに、発光部１０に外部から電力を供給するための接続部７および接続部８を２つの封止部９ａによりそれぞれ封止している。そのため、気密状態にある空間内に発光部１０を保持することができるので、有機電界発光素子２への水分や酸素の侵入を長期間に亘り抑制することができる。その結果、黒点の発生を長期間に亘り抑制することができる。
【００３７】
また、収納部９の内部の空間にアルゴンガスや窒素ガスなどの不活性ガスを封入すれば、外部からの水分や酸素の侵入をさらに抑制することができる。  
また、収納部９の内部の空間を大気圧よりも減圧された状態とすれば、外部の熱が有機電界発光素子２に伝わるのを抑制することができる。
【００３８】
また、接続部７および接続部８により、発光部１０が収納部９の内部の空間に保持されている。すなわち、発光部１０が収納部９と接触しないようにしている。そのため、有機電界発光素子２に伝わる外部の熱を極めて少なくすることができる。また、封止部９ａによる封止を行う際の熱が有機電界発光素子２に伝わるのを抑制することができる。その結果、有機電界発光素子２の発光特性の低下を抑制することができる。
【００３９】
[第２の実施形態]  
図２（ａ）〜図３（ｃ）は、第２の実施形態に係る照明装置を例示するための模式断面図である。  
図２（ａ）に示すように、照明装置１１ａには、発光部１０、接続部７、接続部８、収納部９、および支持部１９ａが設けられている。  
すなわち、照明装置１１ａは、図１において例示をした照明装置１１に支持部１９ａをさらに設けたものである。
【００４０】
支持部１９ａは、収納部９の電極２ｃに面する側の内壁に設けられている。支持部１９ａは、発光部１０を支持する。  
なお、本願明細書において支持するとは、基板３および基板４の少なくともいずれかの側に接触している場合と、基板３および基板４の少なくともいずれかの側に接合している場合とを含んでいる。  
支持部１９ａの数、間隔、配置などには特に限定がなく、発光部１０の大きさや形状、外部からの熱伝導などを考慮して適宜変更することができる。
【００４１】
前述したように、電極２ｃは有機発光層２ｂから放射された光に対して反射性を有する。そのため、支持部１９ａが設けられる側には光が放射されないので、支持部１９ａは有機発光層２ｂから放射された光に対して透過性を有している必要はない。
【００４２】
支持部１９ａの材料は、熱伝導率の低い材料であれば特に限定はない。この場合、支持部１９ａの材料の熱伝導率は、収納部９の材料の熱伝導率の１．１倍以下とすることが好ましい。例えば、支持部１９ａの材料は、収納部９の材料と同じものとすることができる。支持部１９ａの材料が収納部９の材料と同じものである場合には、支持部１９ａと収納部９とを一体的に形成することができる。
【００４３】
支持部１９ａの形態は、柱状を呈している。柱状の形態は、外部からの熱の伝導が抑制されるような形態とすることが好ましい。例えば、収納部９の内壁側から発光部１０側に向かうにつれて、断面積が変化するような形態とすることができる。この場合、図２（ａ）に示したように、収納部９の内壁側から発光部１０側に向かうにつれて断面積が漸増するような形態とすることもできるし、断面積が漸減するような形態とすることもできる。
【００４４】
図２（ｂ）に示すように、照明装置１１ｂには、発光部１０、接続部７、接続部８、収納部９、および支持部１９ｂが設けられている。  
すなわち、照明装置１１ｂは、図１において例示をした照明装置１１に支持部１９ｂをさらに設けたものである。
【００４５】
支持部１９ｂは、収納部９の電極２ａに面する側の内壁に設けられている。支持部１９ｂの数、間隔、配置などには特に限定がなく、発光部１０の大きさや形状、外部からの熱伝導などを考慮して適宜変更することができる。
【００４６】
前述したように、電極２ａは有機発光層２ｂから放射された光に対して透過性を有する。そのため、支持部１９ｂが設けられる側に光が放射されるので、支持部１９ｂは有機発光層２ｂから放射された光に対して透過性を有していることが好ましい。
【００４７】
また、支持部１９ｂの材料は、熱伝導率の低い材料であることが好ましい。この場合、支持部１９ｂの材料の熱伝導率は、収納部９の材料の熱伝導率の１．１倍以下とすることが好ましい。例えば、支持部１９ｂの材料は、収納部９の材料と同じものとすることができる。支持部１９ｂの材料が収納部９の材料と同じものである場合には、支持部１９ｂと収納部９とを一体的に形成することができる。
【００４８】
支持部１９ｂの形態は、柱状を呈している。柱状の形態は、外部からの熱の伝導が抑制され、且つ、支持部１９ｂの内部に導入された光を効率よく照明装置１１ｂの外部に取り出すことができる形態とすることが好ましい。  
なお、外部からの熱の伝導が抑制される形態については、前述した支持部１９ａの形態と同様である。  
また、支持部１９ｂの内部に導入された光を効率よく照明装置１１ｂの外部に取り出すことができるように、支持部１９ｂの屈折率は、所定の範囲内にあるようにすることが好ましい。  
なお、支持部１９ｂの形態と光取り出し効率、支持部１９ｂの屈折率と光取り出し効率とに関する詳細は後述する。
【００４９】
図２（ｃ）に示すように、照明装置１１ｃには、発光部１０、接続部７、接続部８、収納部９、支持部１９ａ、および支持部１９ｂが設けられている。  
すなわち、照明装置１１ｃは、前述した支持部１９ａおよび支持部１９ｂが設けられた場合である。
【００５０】
図３（ａ）に示すように、照明装置１１ｄには、発光部１０ａ、接続部７、接続部８、収納部９、および支持部１９ｂが設けられている。  
発光部１０ａには、有機電界発光素子１２、基板３、基板４、封止部５、および封止部６が設けられている。  
有機電界発光素子２は、電極２ａ、有機発光層２ｂ、電極１２ｃを有する。  
電極１２ｃは、有機発光層２ｂを覆うようにして設けられている。電極１２ｃは、電極２ａと対峙して設けられている。
【００５１】
電極１２ｃは、例えば、陰極として機能する。  
電極１２ｃは、有機発光層２ｂから放射された光に対して透過性を有する。  
電極１２ｃの材料は、例えば、電極２ａの材料と同様とすることができる。また、電極１２ｃの材料は、例えば、マグネシウム銀合金などとすることができる。
【００５２】
電極１２ｃが有機発光層２ｂから放射された光に対して透過性を有するため、光Ｌは収納部９の電極１２ｃに面する側の面９ｃからも放射される。  
そのため、少なくとも収納部９の面９ｂおよび面９ｃは、光Ｌに対する透過性を有している。  
また、収納部９の電極１２ｃに面する側の内壁には、有機発光層２ｂから放射された光に対して透過性を有する支持部１９ｂが設けられている。
【００５３】
図３（ｂ）に示す照明装置１１ｅにおいては、支持部１９ｂは、収納部９の電極２ａに面する側の内壁に設けられている。図２（ｂ）に示す照明装置１１ｂにおいても、支持部１９ｂは、収納部９の電極２ａに面する側の内壁に設けられているが、照明装置１１ｅの場合は面９ｂおよび面９ｃから光Ｌが放射される。
【００５４】
図３（ｃ）に示す照明装置１１ｆにおいては、支持部１９ｂは、収納部９の電極１２ｃに面する側の内壁、および収納部９の電極２ａに面する側の内壁に設けられている。図２（ｃ）に示す照明装置１１ｃの場合は面９ｂから光Ｌが放射されるが、照明装置１１ｆの場合は面９ｂおよび面９ｃから光Ｌが放射される。
【００５５】
図２（ａ）〜図３（ｃ）に例示をしたように、支持部１９ａおよび支持部１９ｂの少なくともいずれかを設けるようにすれば、収納部９の内部の空間における発光部１０または発光部１０ａの保持を安定させることができる。  
この場合、支持部１９ａおよび支持部１９ｂの端部は、発光部１０と接合していてもよいし、発光部１０と接触していてもよい。また、支持部１９ｂの端部は、発光部１０ａと接合していてもよいし、発光部１０ａと接触していてもよい。
【００５６】
支持部１９ａおよび支持部１９ｂの少なくともいずれかを設けるようにすれば、例えば、照明装置１１ａ〜１１ｆを垂直な方向に立てて用いたり、照明装置１１ａ〜１１ｆを天井に取り付けたり、照明装置１１ａ〜１１ｆを振動が加わる環境に取り付けたりした場合であっても、照明装置１１ａ〜１１ｆの動作の安定や故障の低減などを図ることができる。  また、所定の形態を有する支持部１９ｂとすれば、支持部１９ｂの内部に導入された光を照明装置の外部に拡散させるようにして放射することができる。
【００５７】
次に、支持部１９ｂの形態と光取り出し効率との関係を説明する。
図４（ａ）は、シミュレーションの条件を説明するための模式図である。
電極２ａは、インジウム錫酸化物からなり、厚み寸法が１５０ｎｍ、屈折率が１．８９とした。
有機発光層２ｂは、厚み寸法が１００ｎｍ、屈折率が１．７１とした。  
電極２ｃは、アルミニウムからなり、厚み寸法が１５０ｎｍ、屈折率が０．７６とした。
基板３および収納部９は、ガラスからなり、厚み寸法が０．７ｍｍ、屈折率が１．５２とした。
なお、本シミュレーションにおける屈折率は、波長が５５０ｎｍの光に対するものである。
支持部１９ｂの形態は、収納部９の内壁側から発光部１０側（基板３側）に向かうにつれて断面積が漸減するような形態Ａと、断面積が一定の形態Ｂと、断面積が漸増するような形態Ｃとした。なお、「支持部１９ｂ無し」は、基板３と収納部９との間が空気（屈折率が１）の場合である。  
また、形態Ａおよび形態Ｃは円錐台とし、断面積が大きな方の端面の直径寸法を４ｍｍ、断面積が小さな方の端面の直径寸法を２ｍｍ、高さ寸法を２ｍｍとした。  
また、形態Ｂは円柱とし、端面の直径寸法を４ｍｍ、高さ寸法を２ｍｍとした。
また、支持部１９ｂの屈折率ｎは、１．２、１．５、１．８とした。  
また、シミュレーションは、光線追跡法により行うものとし、有機発光層２ｂから５００００本の光束が出射するものとした。
【００５８】
図４（ｂ）は、シミュレーションの結果を表すグラフ図である。  
図４（ｂ）から分かるように、支持部１９ｂの形態が変われば、光取り出し効率が変化する。  
この場合、収納部９の内壁側から発光部１０側（基板３側）に向かうにつれて断面積が漸増するような形態Ｃとすれば、光取り出し効率を向上させることができる。
【００５９】
次に、支持部１９ｂの屈折率ｎと光取り出し効率との関係を説明する。  
図５は、支持部１９ｂの屈折率ｎと光取り出し効率との関係を表すグラフ図である。
なお、支持部１９ｂの形態は前述した形態Ｃとし、シミュレーションの条件は図４（ａ）に例示をしたものとした。  
図５から分かるように、支持部１９ｂの屈折率ｎを、１より大きく２．４以下、より好ましくは、１．２以上２．０以下とすれば、支持部１９ｂが無い部分（屈折率が１の部分）に比べて、光取り出し効率を向上させることができる。
【００６０】
[第３の実施形態]  
図６、図７は、第３の実施形態に係る照明装置を例示するための模式断面図である。
図６に示すように、照明装置２１には、発光部１０、接続部７、接続部８、収納部２９が設けられている。  
図６に示す照明装置２１においては、２つの発光部１０が設けられている。２つの発光部１０は、基板４同士を接合して設けられている。なお、基板４は、２つの発光部１０に共通する要素とすることもできる。
【００６１】
収納部２９は、放射部２９ａ、ネック部２９ｂ、封止部２９ｃ（第２の封止部の一例に相当する）を有する。  
収納部２９は、内部に気密が維持された空間を有し、発光部１０をこの空間内に収納する。
【００６２】
放射部２９ａは、球状を呈し、内部に２つの発光部１０が収納されている。この場合、２つの発光部１０は、放射部２９ａの内部の空間内に保持されている。  
ネック部２９ｂは、角筒状を呈し、内部の空間が放射部２９ａの内部の空間とつながっている。ネック部２９ｂの放射部２９ａ側とは反対側の端部は閉鎖され、封止部２９ｃが設けられている。封止部２９ｃは、接続部７および接続部８のネック部２９ｂから外側に出る部分を封止する。
【００６３】
放射部２９ａは、光Ｌに対する透過性を有している。放射部２９ａの材料は、例えば、前述した収納部９と同様とすることができる。  
ネック部２９ｂおよび封止部２９ｃの材料には特に限定はないが、例えば、放射部２９ａと同様とすることができる。放射部２９ａ、ネック部２９ｂ、および封止部２９ｃの材料が同じものである場合には、放射部２９ａ、ネック部２９ｂ、および封止部２９ｃを一体的に形成することができる。  
なお、封止部２９ｃの形状、形成方法などは、前述した封止部９ａと同様とすることができる。
【００６４】
放射部２９ａ、およびネック部２９ｂの内部の空間は、前述した収納部９と同様に、大気圧よりも減圧された状態またはアルゴンガスや窒素ガスなどの不活性ガスが封入された状態となっている。  
また、さらに前述した支持部１９ｂを設けることもできる。
【００６５】
図７に示すように、照明装置２１ａには、発光部１０ａ、接続部７、接続部８、収納部２９が設けられている。  
また、さらに前述した支持部１９ｂを設けることもできる。  
図７に示す照明装置２１ａの場合には、有機発光層２ｂから放射された光に対して透過性を有する電極１２ｃが設けられている。そのため、電極２ａ側のみならず電極１２ｃ側からも光Ｌが放射される。
【００６６】
照明装置２１、２１ａにおいても、前述した照明装置１、１１ａ〜１１ｆと同様の効果を享受することができる。  
また、図６、図７に示すように、球状の放射部２９ａから放射状に光Ｌを放射させることができる。そのため、広い配光角を得ることができる。
【００６７】
[第４の実施形態]  
図８は、第４の実施形態に係る照明装置を例示するための模式断面図である。
図８に示すように、照明装置３１には、発光部１０ａ、接続部７、接続部８、収納部３９が設けられている。  
また、さらに前述した支持部１９ｂを設けることもできる。
【００６８】
収納部３９は、長手方向の両端が閉鎖された円筒状を呈している。収納部３９は、内部に気密が維持された空間を有し、発光部１０ａをこの空間内に収納する。
収納部３９の長手方向の両端部には、接続部７および接続部８の収納部３９から外側に出る部分を封止する２つの封止部３９ａ（第２の封止部の一例に相当する）が設けられている。この場合、２つの封止部３９ａは、収納部３９の長手方向の端部と一体的に形成されたものとすることができる。
【００６９】
収納部３９の内部には、電気的に直列接続された複数の発光部１０ａが収納されている。この場合、複数の発光部１０ａは、収納部３９の内部の空間内に保持されている。
収納部３９は、光Ｌに対する透過性を有している。収納部３９の材料は、前述した収納部９の材料と同様とすることができる。収納部３９の内部の空間は、前述した収納部９と同様に、大気圧よりも減圧された状態またはアルゴンガスや窒素ガスなどの不活性ガスが封入された状態となっている。  
封止部３９ａの形状、材料、形成方法などは、前述した封止部９ａと同様とすることができる。
【００７０】
図８に示す照明装置３１の場合には、有機発光層２ｂから放射された光に対して透過性を有する電極１２ｃが設けられている。そのため、電極２ａ側のみならず電極１２ｃ側からも光Ｌが放射される。
【００７１】
なお、有機発光層２ｂから放射された光に対して反射性を有する電極２ｃが設けられた発光部１０を備えるようにすることもできる。この場合、電極２ａが面する側に光Ｌが放射されることになる。そのため、光Ｌが放射される側が曲面となっている断面形状（例えば、半月形状）を有する収納部３９とすることもできる。
【００７２】
照明装置３１においても、前述した照明装置１、１１ａ〜１１ｆと同様の効果を享受することができる。  
また、収納部３９から放射状に光Ｌを放射させることができる。そのため、広い配光角を得ることができる。
【００７３】
また、前述した各実施形態において、収納部の光Ｌが放射される側の面に光を拡散させる光学要素を設けることもできる。例えば、収納部の光Ｌが放射される側の面に凹凸を設けたり、フレネルレンズを設けたりすることができる。また、収納部の内壁に拡散剤を塗布したり、収納部の壁内に拡散剤を含ませたりすることもできる。
【００７４】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００７５】
１  照明装置、２  有機電界発光素子、２ａ  電極、２ｂ  有機発光層、２ｃ  電極、３  基板、４  基板、５  封止部、６  封止部、７  接続部、８  接続部、９  収納部、９ａ  封止部、１０  発光部、１１ａ〜１１ｆ  照明装置、１９ａ  支持部、１９ｂ  支持部、２１  照明装置、２１ａ  照明装置、２９  収納部、２９ａ  放射部、２９ｂ  ネック部、２９ｃ  封止部、３１  照明装置、３９  収納部、３９ａ  封止部
【図１】
2014103007.tif 000003
【図２】
2014103007.tif 000004
【図３】
2014103007.tif 000005
【図４】
2014103007.tif 000006
【図５】
2014103007.tif 000007
【図６】
2014103007.tif 000008
【図７】
2014103007.tif 000009
【図８】
2014103007.tif 000010